【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
幅寸法を二等分する縦軸及び長さ寸法を二等分する横軸を有し、肌対向面とその反対側である着衣対向面とを有するおむつ本体と、着用状態において所要部分の寸法を縮めることのできるサイズ調整手段とを備えたパンツ型着用物品において、
前記おむつ本体は、前記横軸から前方に位置する前方域と、前記横軸から後方に位置する後方域とを有し、
前記サイズ調整手段は、長さ方向と幅方向とを有する止着バンドと、前記長さ方向において前記止着バンドを折り返すと前記止着バンドの折曲部位に当接可能な折り返し案内縁部を有する案内部材とを有し、
前記止着バンドは、前記着衣対向面と対向する内面及びその反対面である外面と、前記着衣対向面に固定された近位部と、前記長さ方向において前記近位部の反対側に位置する摘持可能な遠位部と、前記遠位部の前記外面に配置されて前記着衣対向面及び前記止着バンドの前記外面の少なくとも一方に離脱可能に止着される止着域とを有し、
前記案内部材は、前記外面の外側において前記止着バンドを前記幅方向において跨ぐように延びていて前記止着バンドを越えた両部位が前記着衣対向面に固定されており、前記折り返し案内縁部が前記近位部と前記遠位部との間において前記止着バンドの前記幅方向へ延びており、
前記案内部材の前記着衣対向面に固定された固定部のうちの少なくとも一部と、前記止着バンドの前記近位部のうちの少なくとも一部とが、前記前方域及び前記後方域のうちのいずれか一方の域にともに位置することを特徴とする着用物品。
【請求項２】
前記案内部材の前記固定部の全体と前記止着バンドの前記近位部の全体とが、前記前方域及び前記後方域のうちのいずれか一方の域にともに位置する請求項１に記載の着用物品。
【請求項３】
前記一方の域は、前記横軸の方向に伸縮可能な弾性域を有しており、前記弾性域は、前記固定部と重なった状態、または、前記固定部よりも前記横軸の方向の内側に位置する状態のいずれかの状態である請求項１又は２に記載の着用物品。
【請求項４】
前記止着バンドと前記案内部材とは、繊維不織布シートから形成される請求項１〜３のいずれかに記載の着用物品。
【請求項５】
前記サイズ調整手段の使用前の状態において、前記止着域が、前記止着バンドの一部に止着されて外部に露出していない請求項１〜４のいずれかに記載の着用物品。
【請求項６】
製造時から需要者に供給されるまでの間において、前記案内部材が前記止着バンドを跨いだ態様にある請求項１〜５のいずれかに記載の着用物品。
【請求項７】
前記案内部材は、前記折り返し案内縁部を除く外周縁部が前ウエスト域における前記外面に固定されており、前記止着バンドの前記近位部と前記遠位部の先端を除く部分とが前記案内部材に被覆される請求項１〜６のいずれかに記載の着用物品。
【請求項８】
前記おむつ本体は、前記前ウエスト域と前記後ウエスト域とを有し、前記止着バンドの前記近位部は、前記前後ウエスト域の側縁部どうしが互いに重なり合って接合されるサイドシームにおいて接合される請求項１〜７のいずれかに記載の着用物品。
【請求項９】
前記サイズ調整手段は、前記止着バンドを前記長さ方向へ引っ張ったときに生じる前記案内部材との摺動を円滑化させるための手段を有する請求項１〜８のいずれかに記載の着用物品。
【請求項１０】
前記円滑化させるための手段は、前記止着バンドと前記案内部材との摩擦を低減するための部材を配置してなる請求項１〜９のいずれかに記載の着用物品。
【請求項１１】
前記円滑化させるための手段は、前記止着バンドの前記外面に塗布されたシリコンオイルである請求項１０に記載の着用物品。
【請求項１２】
前記円滑化させるための手段は、前記案内部材の前記止着バンドを覆う被覆部の前記内面に取り付けられたプラスチックフィルムである請求項１０に記載の着用物品。
【請求項１３】
前記案内部材の前記止着バンドを覆う前記被覆部には、前記長さ方向へ延びる複数条の弾性体が伸長された状態かつ前記被覆部とともに収縮可能な状態で取り付けられる請求項１〜１２のいずれかに記載の着用物品。
【手続補正２】
【補正対象書類名】明細書
【補正対象項目名】００２９
【補正方法】変更
【補正の内容】
【００２９】
本実施形態において、サイズ調整手段２８を構成する止着バンド２６の近位部７４と案内部材２７の固定部７９とが同一のウエスト域１３，１４に位置している。したがって、該ウエスト域の一方側縁部がおむつ１０の内方へ向かって引き寄せられることによって、レッグ開口が該ウエスト域側に向いた状態となる。サイズ調整手段２８が前ウエスト域１３に位置する場合には、例えば、着用者が猫背の状態のときや背中と両膝を曲げて丸くなった状態で横臥するときには、おむつ１０の前ウエスト域１３側が弛んで着用者の身体から離間してしまうおそれがあるが、かかる姿勢や体型であっても、サイズ調整手段２８によってサイズ調整することによっておむつ１０の前ウエスト域１３側が弛むことなく、着用者の身体にフィットさせることができる。したがって、本願発明のサイズ調整手段２８は、単に胴回りや脚回りのサイズ寸法を調整するだけでなく、着用者の身体形状に合わせたサイズ調整が可能なものといえる。
【手続補正３】
【補正対象書類名】明細書
【補正対象項目名】００５４
【補正方法】変更
【補正の内容】
【００５４】
上記段落００５３に開示した本発明に係るパンツ型着用物品は、少なくとも下記の実施の形態を含むことができる。
（１）前記案内部材の前記固定部の全体と前記止着バンドの前記近位部の全体とが、前記前方域及び前記後方域のうちのいずれか一方の域にともに位置する。
（２）前記一方の域は、前記横軸の方向に伸縮可能な弾性域を有しており、前記弾性域は、前記固定部と重なった状態、または、前記固定部よりも前記横軸の方向の内側に位置する状態のいずれかの状態である。
（３）前記止着バンドと前記案内部材とは、繊維不織布シートから形成される。
（４）前記サイズ調整手段の使用前の状態において、前記止着域が、前記止着バンドの一部に止着されて外部に露出していない。
（５）製造時から需要者に供給されるまでの間において、前記案内部材が前記止着バンドを跨いだ態様にある。
（６）前記案内部材は、前記折り返し案内縁部を除く外周縁部が前ウエスト域における前記外面に固定されており、前記止着バンドの前記近位部と前記遠位部の先端を除く部分とが前記案内部材に被覆される。
（７）前記おむつ本体は、前記前ウエスト域と前記後ウエスト域とを有し、前記止着バンドの前記近位部は、前記前後ウエスト域の側縁部どうしが互いに重なり合って接合されるサイドシームにおいて接合される。
（８）前記サイズ調整手段は、前記止着バンドを前記長さ方向へ引っ張ったときに生じる前記案内部材との摺動を円滑化させるための手段を有する。
（９）前記円滑化させるための手段は、前記止着バンドと前記案内部材との摩擦を低減するための部材を配置してなる。
（１０）前記円滑化させるための手段は、前記止着バンドの前記外面に塗布されたシリコンオイルである。
（１１）前記円滑化させるための手段は、前記案内部材の前記止着バンドを覆う被覆部の前記内面に取り付けられたプラスチックフィルムである。
（１２）前記案内部材の前記止着バンドを覆う前記被覆部には、前記長さ方向へ延びる複数条の弾性体が伸長された状態かつ前記被覆部とともに収縮可能な状態で取り付けられる。